(57)【要約】      （修正有）【課題】浴槽の不使用の場合の保温時及び使用時の切り替え作業を迅速に行うことができ、維持費の低減を図ることができる水面断熱保温体を提供する。【解決手段】水面に浮遊して、水面から外気への放熱現象を遮断する複数の浮遊体により構成されていることを特徴とする水面断熱保温体。【選択図】図１
0003119700.tif 000002
【実用新案登録請求の範囲】
【請求項１】
水面に浮遊することにより水面を被覆して、水面から外気への放熱を遮断する複数の浮遊体により構成されていることを特徴とする水面断熱保温体。
【請求項２】
上記浮遊体には、水面の上下方向において膨出する一対の膨出部が形成されていることを特徴とする請求項１記載の水面断熱保温体。
【請求項３】
上記浮遊体は、水面において互いに当接して水面を被覆しうる本体部と、上記本体部の水面の上下方向両側部に設けられた一対の膨出部により構成されていることを特徴とする請求項１記載の水面断熱保温体。
【請求項４】
上記膨出部は、略半球状に形成されていることを特徴とする請求項２及び３記載の水面断熱保温体。
【請求項５】
上記本体部は、平面略多角形状に形成されていることを特徴とする請求項３及び４記載の水面断熱保温体。
【請求項６】
上記本体部は、平面略六角形状に形成されていることを特徴とする請求項３及び４記載の水面断熱保温体。
【請求項７】
上記浮遊体は、独立気泡を有した発泡樹脂製であることを特徴とする請求項１〜６記載の水面断熱保温体。
【請求項８】
上記浮遊体は、ポリエチレン製であることを特徴とする請求項１〜６記載の水面断熱保温体。
【請求項９】
上記浮遊体は、ポリプロピレン製であることを特徴とする請求項１〜６記載の水面断熱保温体。
【請求項１０】
上記本体部には、複数の上記浮遊体が互いに吸着しうるように磁力が付与されていることを特徴とする請求項３〜９記載の水面断熱保温体。
【請求項１１】
上記浮遊体の表面には、抗菌加工が施されていることを特徴とする請求項１〜９記載の水面断熱保温体。
【請求項１２】
上記水面断熱保温体は、水面全域を被覆しうる数量の上記浮遊体で構成されている請求項１〜１１記載の水面断熱保温体。
【請求項１３】
棒状部材と、上記棒状部材に着脱可能な状態で取り付けられ、上記水面断熱保温体を捕獲しうる捕獲網とを有し、
上記捕獲網が、開口部を有した袋状に形成されていることを特徴とする請求項１〜１２記載の水面断熱保温体の回収用具。
【請求項１４】
上記棒状部材は、水面に浮遊しうる素材で形成されていることを特徴とする請求項１３記載の水面断熱保温体の回収用具。
【考案の詳細な説明】
【技術分野】
【０００１】
本考案は水面断熱保温体に係り、特に、水面に浮遊して、水面から外気への放熱現象を遮断する複数の浮遊体により構成された水面断熱保温体に関するものである。
【背景技術】
【０００２】
近年の温泉施設では、ボイラー燃料を節約するため、沸かし湯形式の温泉が多い。そのため、フルタイム稼動しなければならないスパリゾート、各種療養所、病院浴槽等においては、適切な温度を維持することが望まれている。
このような温泉の放熱を防ぐため、従来から、発泡気泡シートや断熱線を内包する断熱シートで形成された、いわゆる保温シートが用いられており、保温シートを浴槽上面部に載置して浴槽を閉鎖することにより行われていた。
【０００３】
しかしながら、浴槽を閉鎖する場合には、保温シートを浴槽の上面部全域に載置する必要があり、保温シートを回収する場合には、浴槽内に落とさないように、かつ、浴槽自体を傷つけないように細心の注意を払って撤去し、撤去した保温シートを折り畳んで収納しなければならないため、作業に手間がかかるという問題が生じる。
また、広大な浴槽及び複雑形状の浴槽にあっては、複数枚の保温シートにより構成されているため、これらの保温シートの載置及び回収作業は、作業者にとって相当な重労働である。
さらに、複数枚の保温シートを折り畳んで保管するためには、広大なスペースを要するだけでなく、回収した際に、洗い場の床面で保温シートを折り畳むことが多く、不衛生であった。
その一方で、保温シートを薄くして軽量化を図ろうとすると、厚さ方向の強度が不足し、浴槽のタイル及び岩等と擦れた場合には、保温シートが損傷してしまう。
また、保温シートの回収作業を回避する手段として、保温シートを浴槽に載置した状態で折り畳んで浴槽の一部を開放しての入浴が考えられるが、浴槽自体の外観品質が低下するだけでなく、不測の事態が発生する恐れがある。
【０００４】
上記のように、従来の保温シートにあっては、設置に手間取る重さであることから、シートの展張作業が煩雑であり、所定の形状でしか畳めずに嵩張ってしまうことから、収納及び保管スペースを確保しなければならず、軽量化及び省スペース化を図った場合にはシート自体が脆弱になり、破損して浸水し易くなる。
さらに、衛生管理や補修等の維持費が嵩み、複雑形状の浴槽にあっては、浴槽全域を完全に保温できないという不具合が生じる。
したがって、上記のようなシート状の保温材での湯面断熱保温には限界があった。
【考案の開示】
【考案が解決しようとする課題】
【０００５】
そこで、本考案の課題は、浴槽の不使用の場合の保温時及び使用時の切り替え作業を迅速に行うことができ、維持費の低減を図ることができる水面断熱保温体を提供することにある。
【課題を解決するための手段】
【０００６】
上記目的を達成するために、請求項１記載の考案は、水面に浮遊することにより水面を被覆して、水面から外気への放熱を遮断する複数の浮遊体により構成されている。
【０００７】
即ち、請求項１記載の本考案に係る水面断熱保温体にあっては、水面断熱保温体が決まった形状を有さず、その場で様々な形状に変化させることができるように構成され、浮遊体が、水面に浮遊することにより水面が被覆されるように形成されている。
【０００８】
また、請求項２記載の考案は、上記浮遊体には、水面の上下方向において膨出する一対の膨出部が形成されている。
【０００９】
また、請求項３記載の考案は、上記浮遊体は、水面において互いに当接して水面を被覆しうる本体部と、上記本体部の水面の上下方向両側部に設けられた一対の膨出部により構成されている。
【００１０】
また、請求項４記載の考案は、上記膨出部は、略半球状に形成されている。
【００１１】
また、請求項５記載の考案は、上記本体部は、平面略多角形状に形成されている。
【００１２】
また、請求項６記載の考案は、上記本体部は、平面略六角形状に形成されている。
【００１３】
また、請求項７記載の考案は、上記浮遊体は、独立気泡を有した発泡樹脂製である。
【００１４】
また、請求項８記載の考案は、上記浮遊体は、ポリエチレン製である。
【００１５】
また、請求項９記載の考案は、上記浮遊体は、ポリプロピレン製である。
【００１６】
また、請求項１０記載の考案は、上記本体部には、複数の上記浮遊体が互いに吸着しうるように磁力が付与されている。
【００１７】
また、請求項１１記載の考案は、上記浮遊体の表面には、抗菌加工が施されている。
【００１８】
また、請求項１２記載の考案は、上記水面断熱保温体は、水面全域を被覆しうる数量の上記浮遊体で構成されている。
【００１９】
また、請求項１３記載の考案は、棒状部材と、上記棒状部材に着脱可能な状態で取り付けられ、上記水面断熱保温体を捕獲しうる捕獲網とを有し、上記捕獲網が、開口部を有した袋状に形成されている水面断熱保温体の回収用具である。
【００２０】
また、請求項１４記載の考案は、上記棒状部材は、水面に浮遊しうる素材で形成されている。
【考案の効果】
【００２１】
請求項１記載の本考案に係る水面断熱保温体にあっては、複数の浮遊体により構成されていることから、従来の保温シートのように、収納時に折り畳んだり、浴槽に掛けたりする必要がなくなり、取り付ける為のステイの造作や紐結びが不要であることから作業負担を軽減することができる。
また、浮遊体が、水面に浮遊することにより水面が被覆されるように形成されていることから、浮遊体を水面にばらまいて浮かべるだけで、水面から外気へ放熱する現象を確実に遮断し、強力に保温することができる。
浮遊体が破損した場合には、浮遊体を個別に補充可能となることから、従来の保温シートのように、シート全体を補修する必要がなくなるため、維持費を低減することができる。
したがって、浴槽の不使用の場合の保温時及び使用時の切り替え作業を迅速に行うことができ、維持費の低減を図ることができる。
また、複数の浮遊体により構成された水面断熱保温体は、決まった形状を有さず、その場で様々な形状に変化させることができる。
そのため、複雑な形状の露天岩風呂や浴槽階段手摺り周辺等のように、従来の保温シートでの被覆が困難な狭い場所であっても、浮遊体が入り込むことにより水面全域を被覆して保温することができる。
したがって、様々な形状の浴槽に適合できるようになり、浴槽への汎用性を向上することができる。
また、浮遊体を水面に浮遊させた状態で入浴することも可能であるため、入浴前後において保温した状態を維持することができ、入浴終了後においてもフタ閉め等の保温作業を要しない。
このような場合に、浮遊体の形状変更や、浮遊体に香りや色を付与することにより、浮遊体を水面に浮遊させた状態で快適なバスタイムを過ごすことができる。
【００２２】
また、請求項２及び３記載の本考案に係る水面断熱保温体にあっては、浮遊体には、水面の上下方向において一対の膨出部が形成されていることから、浮遊体が水面の上下方向に重ならずに水面方向に展開させることができる。
したがって、浮遊体を１ヶ所に放散するだけで水面に拡散することができるため、作業負担を軽減することができる。
【００２３】
また、請求項４記載の本考案に係る水面断熱保温体にあっては、膨出部が半球状に形成されていることから、浮遊体が水面の上下方向に重なった場合であっても、水面方向に展開しやすくなる。
また、浮遊体を水面に浮遊させた状態で入浴した後に体を水面から出した場合であっても、浮遊体が体から剥がれ易くなるため、快適なバスタイムを過ごすことができる。
【００２４】
また、請求項５記載の本考案に係る水面断熱保温体にあっては、本体部が多角形に形成されていることから、水面において隣接する浮遊体の各辺が互いに当接して整列するため、水面の隙間を低減して確実に保温することができる。
【００２５】
また、請求項６記載の本考案に係る水面断熱保温体にあっては、本体部が正六角形に形成されていることから、三角形や四角形よりも一辺の長さが短く、水面において隣接する浮遊体の各辺が互いに当接することにより整列し易くなるため、水面を隙間無く被覆して確実に保温することができる。
また、三角形や四角形よりも角の角度が緩やかに形成されていることから、比較的欠けにくい形状である。
したがって、破損による交換周期を延ばすことができるため、維持費を低減することができる。
【００２６】
また、請求項７記載の本考案に係る水面断熱保温体にあっては、上記浮遊体は、独立気泡を有した発泡樹脂製であることから、気泡が互いに連結せずに独立して形成され、気泡に水が浸入する事態を防止することができるため、一定の浮力を維持することができる。
また、樹脂の比重が大きい場合であっても、気泡の形成により浮力を付与することができるため、素材の適用範囲を拡大することができる。
さらに、この気泡に断熱性が高い空気を適用することにより、浮遊体の断熱性を向上させることができる。
【００２７】
また、請求項８記載の本考案に係る水面断熱保温体にあっては、浮遊体がポリエチレン製であり、断熱性に優れた素材であるため、熱の伝播を効果的に防止し、水面において効果的に保温することができる。
ポリエチレンは、発泡スチロール製に比べて破損し難く、破損した場合であっても、常時水面上に浮遊するため、浴槽底や循環口に詰まることがない。また、食品にも適用されていることから、衛生的にも良好である。
さらに、無架橋のポリエチレン製とした場合には、通常可燃ゴミとして廃棄できるため、地球環境に良好な水面断熱保温体を提供することができる。
【００２８】
また、請求項９記載の本考案に係る水面断熱保温体にあっては、浮遊体がポリプロピレン製であり、断熱性に優れた素材であるため、熱の伝播を効果的に防止し、水面において効果的に保温することができる。
また、ポリプロピレンの耐熱温度は１４０℃であるため、源泉域の高温にも耐えることができる。
さらに、無架橋のポリプロピレン製とした場合には、通常可燃ゴミとして廃棄できるため、地球環境に良好な水面断熱保温体を提供することができる。
【００２９】
また、請求項１０記載の本考案に係る水面断熱保温体にあっては、本体部に磁力が付与されていることから、隣接する浮遊体が互いに吸着し易くなるため、容易に浮遊体を隙間無く敷きつめることができる。
【００３０】
また、請求項１１記載の本考案に係る水面断熱保温体にあっては、浮遊体の表面に抗菌加工が施されていることから、浮遊体の表面において菌が繁殖する事態を防止することができるため、衛生的である。
【００３１】
また、請求項１２記載の本考案に係る水面断熱保温体にあっては、水面断熱保温体が水面全域を被覆しうる数量の浮遊体で構成されていることから、浴槽内において水面から外気への放熱を確実に遮断することができる。
【００３２】
また、請求項１３記載の本考案に係る水面断熱保温体の回収用具にあっては、回収用具が、捕獲網を取り付けた棒状部材により構成され、捕獲網が開口部を有した袋状に形成されていることから、棒状部材を把持し、捕獲網を水面において移動させるだけで、水面に浮遊している浮遊体が、開口部を通過して捕獲網に収納されるため、回収作業を軽減することができる。
また、捕獲網は、水切れが良いことから、回収時に水の重量を感じる事がなく容易に回収を行うことができ、棒状部材から外すことにより、複数の浮遊体を捕獲網に収納した状態で容易に保管することができるため、回収作業に対する負担を軽減できる。
また、複数の浮遊体が捕獲網に回収されることから、捕獲網の形状を自由に変化させて隙間に押し込むことができるため、保管場所の省スペース化を図ることができる。
さらに、捕獲網に収納した状態で、複数の浮遊体の洗浄や日光消毒が可能であるため、衛生管理を容易に行うことができる。
【００３３】
また、請求項１４記載の本考案に係る水面断熱保温体の回収用具にあっては、棒状部材が水面に浮遊しうる素材で形成されていることから、回収時に棒状部材を水面で横に動かすだけで重量を感じることなく、水面に浮遊している浮遊体を容易に回収することができる。
したがって、腰をかがめることなく回収作業を行うことができる。
【考案を実施するための最良の形態】
【００３４】
以下、図面を用いて本考案を実施するための最良の形態について説明する。
本考案の水面断熱保温体１０は、図１に示すように、水面に浮遊することにより水面を被覆して、水面から外気への放熱を遮断する複数の浮遊体１１により構成されている。
【００３５】
上記浮遊体１１は、図２及び図３に示すように、水面において互いに当接して水面を被覆しうる本体部１２と、上記本体部１２の水面の上下方向両側部１５，１５に設けられた一対の膨出部１３，１３により構成されている。
【００３６】
上記膨出部１３，１３は、図２及び図３に示すように、略半球状に形成されている。
【００３７】
上記本体部１２は、図２及び図４に示すように、平面略六角形状に形成されている
【００３８】
上記浮遊体１１は、図３に示すように、独立気泡１４を有した発泡樹脂製である。
【００３９】
上記浮遊体１１は、ポリプロピレン製である。
【００４０】
上記浮遊体１１の表面には、抗菌加工が施されている。
【００４１】
上記水面断熱保温体１０は、図１に示すように、水面全域を被覆しうる数量の上記浮遊体１１で構成されている。
【００４２】
水面に浮遊している上記水面断熱保温体１０を回収するための回収用具２０は、図５に示すように、棒状部材２１と、上記棒状部材２１に着脱可能な状態で取り付けられ、上記水面断熱保温体１０を捕獲しうる捕獲網２２とを有し、上記捕獲網２２が、開口部２３を有した袋状に形成されている。
【００４３】
上記棒状部材２１は、水面に浮遊しうる素材で形成されている。
【実施例１】
【００４４】
以下、図面を用いて本考案の実施例１に係る水面断熱保温体１０について説明する。
本実施例に係る水面断熱保温体１０は、図１に示すように、水面に浮遊して、水面から外気への放熱現象を遮断する浮遊体１１を有し、浴槽９０の水面全域を被覆することができる数量の上記浮遊体１１により構成されている。
なお、本実施例においては、上記浮遊体１１の数量を浴槽９０の水面全域を被覆することができる数量としたが、本実施例に限定されず、浴槽９０の水面の一部を被覆した場合に適用可能である。
また、上記浮遊体１１は、図２及び図３に示すように、水面において互いに当接して水面を被覆しうる本体部１２と、上記本体部１２の水面の上下方向両側部１５，１５に設けられ、水面の上下方向において略半球状に膨出する一対の膨出部１３，１３により構成されている。
【００４５】
上記浮遊体１１は、図３に示すように、独立気泡１４を有した無架橋ＰＰ（ポリプロピレン）製であり、発泡率は約３０倍である。独立気泡１４は、空気である。
上記浮遊体１１の特徴を以下に示す。
（１）  耐熱温度    １４０℃
（２）  見掛密度    ０．０３ｇ／ｃｍ３
（３）  熱伝導率    ０．０３２８ｋｃａｌ／ｍ・ｈ・Ｃ
（４）  圧縮強度    ０．４３ｋｇ／ｃｍ２
（５）  圧縮永久歪  １２．４％
（６）  縦引張強度  ５．０ｋｇ／ｃｍ２
（７）  横引張強度  ４．２ｋｇ／ｃｍ２
（８）  圧縮強度    ０．４３ｋｇ／ｃｍ２（２５％圧縮）
０．８１ｋｇ／ｃｍ２（５０％圧縮）
（９）  磨耗性      ０．０００５ｇ／１０ｃｍ２
（１０）吸水率      ０．０１ＶＯＩ／％以下
また、上記浮遊体１１の表面には、抗菌加工が施されている。
なお、本実施例においては、上記浮遊体１１の材質に無架橋ＰＰ（ポリプロピレン）製を適用したが、本実施例に限定されず、無架橋ＰＥ（ポリエチレン）製等の独立気泡１４を有した発泡樹脂、ひのき材等の自然素材、その他水面において浮遊することができる材質に適用可能である。
また、本実施例においては、独立気泡１４を有する構造を適用したが、本実施例に限定されず、発泡ウレタンの充填、空気やガスの充填、無垢等に適用可能である。
【００４６】
上記本体部１２は、図２及び図３に示すように、板状の平面略六角形状に形成され、厚さ寸法Ｌ１が約５ｍｍであり、径方向寸法Ｌ２が約４０〜６０ｍｍである。
なお、本実施例においては、上記本体部１２の平面形状を六角形状に形成したが、本実施例に限定されず、三角形及び四角形等の多角形状、球形状、円盤形状、パズルブロック、キャラクターの形状、その他水面を被覆可能な形状に適用可能である。
さらに、上記浮遊体１１に対して、色彩の付与、芳香剤の付与、酸化チタンの担持による光触媒の水質浄化することも可能である。
【００４７】
上記膨出部１３は、図２及び図３に示すように、厚さ寸法Ｌ３が約５ｍｍであり、径方向寸法Ｌ４が上記本体部１２の径方向寸法Ｌ２と略同一の寸法である。
なお、本実施例においては、上記膨出部１３を略半球状に形成したが、本実施例に限定されず、上記膨出部１３が水面において上下に重なり難い形状に適用可能である。
【００４８】
以下、本実施例に係る水面断熱保温体１０を回収するための回収用具２０について、図５を用いて説明する。
本実施例に係る回収用具２０は、図５に示すように、棒状部材２１と、上記棒状部材２１に着脱可能に取り付けられ、上記水面断熱保温体１０を捕獲しうる捕獲網２２とを有している。
上記棒状部材２１は、アルミ製であり、全体略円柱形状に形成された軸部２４と、上記軸部２４の先端に固定され、平面略輪状に形成された捕獲リング２５により構成されている。
上記軸部２４は、上記捕獲リング２５に固定された小径軸部２６と、上記小径軸部２６よりも径大に形成され、上記小径軸部２６を挿通しうると共に、上記小径軸部２６の後方に延設された大径軸部２７とを有し、上記軸部２４の長さを伸縮して調節可能となるように構成されている。
また、上記大径軸部２７の後端には、上記大径軸部２７よりも径大に形成されたグリップエンド２９が取り付けられている。
なお、本実施例においては、上記棒状部材２１の材質にアルミ製を適用したが、本実施例に限定されず、水面に浮遊しうる材質に適用可能である。
上記捕獲リング２５には、上記捕獲リング２５の外周面に沿って溝部３０が形成されている。
上記捕獲網２２は、開口部２３を有した袋状に形成され、幅寸法が６０ｃｍであり、高さ寸法が９０ｃｍである（捕獲網２２の寸法についての図示を省略する）。
上記捕獲網２２は、ポリエチレン製であり、９×１２ｍｍの網目となるように形成されている。
なお、本実施例においては、捕獲網２２の網目に９×１２ｍｍの寸法を適用したが、本実施例に限定されず、上記した浮遊体１１を捕獲しうる寸法に適用可能である。
上記開口部２３には、上記絞り紐３２が設けられ、上記開口部２３の周縁部３１に沿って設けられた紐挿通口３３に挿通されている。
上記絞り紐３２の両端には、上記絞り紐３２の両端を束ねて固定しうる固定部材３４が設けられている。
上記捕獲網２２は、上記開口部２３の周縁部３１が上記溝部３０に巻回され、上記固定部材３４により上記開口部２３が絞られて上記捕獲リング２５に固定されている。
【００４９】
以下、本実施例に係る水面断熱保温体１０の作用について説明する。
本実施例に係る水面断熱保温体１０にあっては、複数の浮遊体１１により構成されていることから、水面断熱保温体１０として決まった形状を有さず、その場で様々な形状に変化させることができる。
したがって、図１５に示すように、浴槽８０内に噴水８１や手摺り８２が設置されている場合であっても、その周辺を複数の浮遊体１１により被覆して水面を保温することができる。
また、浮遊体１１が破損した場合には、浮遊体１１を個別に補充可能となる。
また、浮遊体１１が、水面に浮遊することにより水面が被覆されるように形成されていることから、浮遊体１１を水面にばらまいて浮かべるだけで、水面から外気へ放熱する現象を確実に遮断し、強力に保温することができる。
また、浮遊体１１を水面に浮遊させた状態で入浴することも可能であるため、入浴前後において保温した状態を維持することができ、入浴終了後においてもフタ閉め等の保温作業を要しない。
また、図１５に示すように、浴槽８０内を浮きフロート８３で仕切ることにより、入浴時に複数の浮遊体１１を回収せずに、浴槽８０内の一部に寄せ集めることができる。
【００５０】
また、浮遊体１１に膨出部１３，１３が形成されていることから、浮遊体１１が水面の上下方向に重ならずに水面方向に展開させることができる。
また、膨出部１３，１３が半球状に形成されていることから、浮遊体１１が水面の上下方向に重なった場合であっても、水面方向に展開しやすくなる。
また、浮遊体１１を水面に浮遊させた状態で入浴した後に体を水面から出した場合であっても、浮遊体１１が体から剥がれ易くなる。
【００５１】
また、本体部１２が正六角形に形成されていることから、三角形や四角形よりも一辺の長さが短く、水面において隣接する浮遊体の各辺が互いに当接することにより整列し易くなる。
また、三角形や四角形よりも角の角度が緩やかに形成されていることから、比較的欠けにくい形状である。
【００５２】
また、上記浮遊体１１は、独立気泡１４を有した発泡樹脂製であることから、気泡１４が互いに連結せずに独立して形成され、気泡１４に水が浸入する事態を防止することができるため、一定の浮力を維持することができる。
また、独立気泡１４が、断熱性が高い空気であるため、浮遊体１１の断熱性を向上させることができる。
【００５３】
また、浮遊体１１がポリプロピレン製であり、断熱性に優れた素材であるため、熱の伝播を効果的に防止し、水面において効果的に保温することができる。
また、ポリプロピレンの耐熱温度は１４０℃であるため、耐熱性に優れており、源泉域の高温にも耐えることができる。
【００５４】
また、浮遊体１１の表面に抗菌加工が施されていることから、浮遊体１１の表面において菌が繁殖する事態を防止することができる。
【００５５】
また、水面断熱保温体１０が水面全域を被覆しうる数量の浮遊体１１で構成されていることから、浴槽内において水面から外気への放熱を確実に遮断することができる。
【００５６】
また、本実施例に係る水面断熱保温体１０の回収用具２０にあっては、回収用具２０が、捕獲網２２に取り付けられた棒状部材２１により構成され、捕獲網２２が開口部２３を有した袋状に形成されていることから、棒状部材２１を把持し、捕獲網２２を水面において移動させるだけで、水面に浮遊している浮遊体１１が、開口部２３を通過して捕獲網２２に収納することができる。
また、捕獲網２２は、水切れが良いことから、回収時に水の重量を感じる事がなく容易に回収を行うことができ、棒状部材２１から外すことにより、複数の浮遊体１１を捕獲網２２に収納した状態で容易に保管することができる。
また、複数の浮遊体１１が捕獲網２２に回収されることから、捕獲網２２の形状を自由に変化させて隙間に押し込むことができる。
さらに、捕獲網２２に収納した状態で、複数の浮遊体１１の洗浄や日光消毒が可能になる。
【００５７】
また、棒状部材２１が水面に浮遊しうる素材で形成されていることから、回収時に棒状部材２１を水面で横に動かすだけで重量を感じることなく、水面に浮遊している浮遊体を容易に回収することができる。
【００５８】
近年、発泡スチロールの処理が社会問題化しており、発泡スチロールを熱で溶かして再利用した場合には、環境に対して負荷がかかり、再利用品の物性が劣化する。
また、有毒ガスの発生や焼却炉の傷みにもなることから、家電業界では発泡スチロールの使用を６割も削減している現状である。
その一方で、最近確立されたリモネン溶解法は、化学物質は分子構造が似ているもの同士は溶けやすいという性質を応用したものである。
リモネンとは、柑橘類の皮から抽出した天然油であり、食品添加物・台所洗剤・芳香剤・入浴剤にも使用されている。
発泡スチロールは、リモネン液に浸すだけで自然に溶解していくという性質を持っているため、発泡スチロール製の浮遊体１１を使用した場合にあっては、柑橘類を含有したアロマ風呂やエッセンシャルオイルを投入には向かず、洗浄にも問題である。また、発泡スチロールのように欠けたり、割れクズになると厄介である。
本実施例に係る水面断熱保温体１０の材質は、無架橋の発泡ポリプロピレン（ＥＰＰ）が原料であるため、溶解再資源化が可能であり、良質の再生原料になる。
焼却処理においても大気中に有毒物質や有毒ガス、黒煙も殆ど発生せず、埋め立てた場合でも、土壌や地下水の汚染、生態系への影響もない。
発泡ポリエチレンも、リサイクル及び焼却処分において環境に優しい素材であるが、ＥＰＰの耐熱性（１４０℃）には、はるかにおよばず、６０℃×２ｈｒで１％、７０℃×２ｈｒで１．５％の熱収縮が生じる。
【実施例２】
【００５９】
以下、図面を用いて本考案の実施例２に係る水面断熱保温体４０について説明する。
本実施の形態に係る水面断熱保温体４０は、上記実施例１の形態に係る水面断熱保温体１０と同様に、図６〜図８に示すように、水面に浮遊しうる複数の浮遊体４１により構成され、上記浮遊体４１は、上記実施例１の形態のような上記本体部１２を有さず、水面において互いに当接して水面を被覆しうると共に、水面の上下方向において略半球状に膨出する一対の膨出部４３，４３を有している。
したがって、上記浮遊体４１は、上記実施例１の形態に係る水面断熱保温体１０とは異なり、平面略円形状に形成されているため、図６に示すように、水面において上下方向に重なるような数量で構成されることにより、浴槽９０の水面全域を被覆している。
上記浮遊体４１の材質は、上記実施例１の形態に係る水面断熱保温体１０と同様に、図８に示すように、独立気泡１４を有した無架橋ＰＰ（ポリプロピレン）製であり、表面には抗菌加工が施されている。
上記膨出部４３は、図７及び図８に示すように、厚さ寸法Ｌ５が約５ｍｍであり、直径寸法Ｌ６が約４０〜６０ｍｍである。
【００６０】
以下、本実施例に係る水面断熱保温体４０の作用について説明する。
本実施例に係る水面断熱保温体４０にあっては、複数の浮遊体４１により構成されていることから、水面断熱保温体４０として決まった形状を有さず、その場で様々な形状に変化させることができる。
また、浮遊体４１が、水面に浮遊することにより水面が被覆されるように形成されていることから、浮遊体４１を水面にばらまいて浮かべるだけで、水面から外気へ放熱する現象を確実に遮断し、強力に保温することができる。
【００６１】
また、浮遊体４１に膨出部４３，４３が形成されていることから、浮遊体４１が水面の上下方向に重ならずに水面方向に展開させることができる。
また、膨出部４３，４３が半球状に形成されていることから、浮遊体４１が水面の上下方向に重なった場合であっても、水面方向に展開しやすくなる。
また、浮遊体４１を水面に浮遊させた状態で入浴した後に体を水面から出した場合であっても、浮遊体４１が体から剥がれ易くなる。
【００６２】
また、上記浮遊体４１は、独立気泡１４を有した発泡樹脂製であることから、気泡１４が互いに連結せずに独立して形成され、気泡１４に水が浸入する事態を防止することができるため、一定の浮力を維持することができる。
【００６３】
また、浮遊体４１がポリプロピレン製であり、断熱性に優れた素材であるため、熱の伝播を効果的に防止し、水面において効果的に保温することができる。
また、ポリプロピレンの耐熱温度は１４０℃であるため、耐熱性に優れており、源泉域の高温にも耐えることができる。
【００６４】
また、浮遊体４１の表面に抗菌加工が施されていることから、浮遊体４１の表面において菌が繁殖する事態を防止することができる。
【００６５】
また、水面断熱保温体４０が水面全域を被覆しうる数量の浮遊体４１で構成されていることから、浴槽内において水面から外気への放熱を確実に遮断することができる。
【実施例３】
【００６６】
以下、図面を用いて本考案の実施例３に係る水面断熱保温体５０について説明する。
本実施の形態に係る水面断熱保温体５０は、上記実施例１の形態に係る水面断熱保温体１０と同様に、図９〜図１２に示すように、水面に浮遊しうる複数の浮遊体５１により構成され、上記浮遊体５１は、平面略六角形状に形成され、水面において互いに当接して水面を被覆しうる本体部５２と、上記本体部５２の水面の上下方向両側部５５，５５に設けられ、水面の上下方向において略半球状に膨出する一対の膨出部５３，５３とを有している。
上記浮遊体５１は、上記実施例１の形態に係る水面断熱保温体１０と同様に、図９に示すように、浴槽９０の水面全域を被覆することができる数量で構成されている。
上記浮遊体４１の材質は、上記実施例１の形態に係る水面断熱保温体１０と同様に、図１１に示すように、独立気泡１４を有した無架橋ＰＰ（ポリプロピレン）製であり、表面には抗菌加工が施されている。
上記本体部５２は、前記実施例１の形態と同様に、図１１に示すように、厚さ寸法Ｌ７が約５ｍｍであり、径方向寸法Ｌ８が約４０〜６０ｍｍである。
上記膨出部１３の厚さ寸法Ｌ９は、図１１に示すように、約５ｍｍであり、径方向寸法Ｌ１０は、前記実施例１の形態とは異なり、上記本体部５２の径方向寸法Ｌ８よりも小さい寸法である。
【００６７】
以下、本実施例に係る水面断熱保温体５０の作用について説明する。
本実施例に係る水面断熱保温体５０にあっては、複数の浮遊体５１により構成されていることから、水面断熱保温体５０として決まった形状を有さず、その場で様々な形状に変化させることができる。
また、浮遊体５１が、水面に浮遊することにより水面が被覆されるように形成されていることから、浮遊体５１を水面にばらまいて浮かべるだけで、水面から外気へ放熱する現象を確実に遮断し、強力に保温することができる。
【００６８】
また、浮遊体５１に膨出部５３，５３が形成されていることから、浮遊体５１が水面の上下方向に重なった場合であっても、水面方向に展開しやすくなる。
また、浮遊体５１を水面に浮遊させた状態で入浴した後に体を水面から出した場合であっても、浮遊体５１が体から剥がれ易くなる。
【００６９】
また、本体部５２が正六角形に形成されていることから、三角形や四角形よりも一辺の長さが短く、水面において隣接する浮遊体５１の各辺が互いに当接することにより整列し易くなる。
【００７０】
また、上記浮遊体５１は、独立気泡１４を有した発泡樹脂製であることから、気泡１４が互いに連結せずに独立して形成され、気泡１４に水が浸入する事態を防止することができるため、一定の浮力を維持することができる。
【００７１】
また、浮遊体５１がポリプロピレン製であり、断熱性に優れた素材であるため、熱の伝播を効果的に防止し、水面において効果的に保温することができる。
また、ポリプロピレンの耐熱温度は１４０℃であるため、耐熱性に優れており、源泉域の高温にも耐えることができる。
【００７２】
また、浮遊体５１の表面に抗菌加工が施されていることから、浮遊体５１の表面において菌が繁殖する事態を防止することができる。
【００７３】
また、水面断熱保温体５０が水面全域を被覆しうる数量の浮遊体５１で構成されていることから、浴槽内において水面から外気への放熱を確実に遮断することができる。
【実施例４】
【００７４】
以下、図面を用いて本考案の実施例４に係る水面断熱保温体６０について説明する。
本実施の形態に係る水面断熱保温体６０は、上記実施例３の形態に係る水面断熱保温体５０の変形例であって、基本的構成は上記水面断熱保温体５０と共通し、相違点は、図１３及び図１４に示すように、本体部６２の周縁部６４に複数の上記浮遊体６１が互いに吸着しうるように磁力が付与されている点である。
本実施の形態に係る水面断熱保温体６０は、前記実施例３の形態に係る水面断熱保温体５０と同様に、図１３及び図１４に示すように、水面に浮遊しうる複数の浮遊体６１により構成され、上記浮遊体６１は、板状の平面略六角形状に形成され、水面において互いに当接して水面を被覆しうる本体部６２と、上記本体部６２の水面の上下方向両側部６５，６５に設けられ、水面の上下方向において略半球状に膨出する一対の膨出部６３，６３とを有している。
なお、本実施の形態に係る水面断熱保温体６０は、前記実施例３の形態とは異なり、上記本体部６２の周縁部６４には、磁気テープ６６，６７が貼り付けられている。
上記磁気テープ６６，６７は、＋極の磁力が付与されている＋極磁気テープ６６と、−極の磁力が付与されている−極磁気テープ６７とを有し、上記＋極磁気テープ６６と上記−極磁気テープ６７が、上記本体部６２の上記周縁部６４の各辺において交互に貼り付けられている。
【００７５】
以下、本実施例に係る水面断熱保温体６０の作用について説明する。
本実施例に係る水面断熱保温体６０にあっては、複数の浮遊体６１により構成されていることから、水面断熱保温体６０として決まった形状を有さず、その場で様々な形状に変化させることができる。
また、浮遊体６１が、水面に浮遊することにより水面が被覆されるように形成されていることから、浮遊体６１を水面にばらまいて浮かべるだけで、水面から外気へ放熱する現象を確実に遮断し、強力に保温することができる。
【００７６】
また、浮遊体６１に膨出部６３，６３が形成されていることから、浮遊体６１が水面の上下方向に重なった場合であっても、水面方向に展開しやすくなる。
また、浮遊体６１を水面に浮遊させた状態で入浴した後に体を水面から出した場合であっても、浮遊体が体から剥がれ易くなる。
【００７７】
また、本体部６２が正六角形に形成されていることから、三角形や四角形よりも一辺の長さが短く、水面において隣接する浮遊体６１の各辺が互いに当接することにより整列し易くなる。
【００７８】
また、本体部６２には、＋極磁気テープ６６と−極磁気テープ６７が、本体部６２の上記周縁部６４の各辺において交互に貼り付けられていることから、隣接する浮遊体６１の＋極磁気テープ６６と−極磁気テープ６７が互いに吸着することにより、容易に浮遊体６１を隙間無く敷きつめることができる。
【産業上の利用可能性】
【００７９】
本考案は、主に水面に浮遊して、水面から外気への放熱現象を遮断する複数の浮遊体により構成された水面断熱保温体に適用可能である。
【図面の簡単な説明】
【００８０】
【図１】本考案に係る水面断熱保温体の一実施の形態を示す斜視図である。
【図２】本考案に係る水面断熱保温体の一実施の形態を示し、浮遊体を示す斜視図である。
【図３】本考案に係る水面断熱保温体の一実施の形態を示し、浮遊体を示す断面図である。
【図４】本考案に係る水面断熱保温体の一実施の形態を示す上面図である。
【図５】本考案に係る水面断熱保温体の一実施の形態を示し、回収用具を示す斜視図である。
【図６】本考案に係る水面断熱保温体の実施例２の形態を示す斜視図である。
【図７】本考案に係る水面断熱保温体の実施例２の形態を示し、浮遊体を示す斜視図である。
【図８】本考案に係る水面断熱保温体の実施例２の形態を示し、浮遊体を示す断面図である。
【図９】本考案に係る水面断熱保温体の実施例３の形態を示す斜視図である。
【図１０】本考案に係る水面断熱保温体の実施例３の形態を示し、浮遊体を示す斜視図である。
【図１１】本考案に係る水面断熱保温体の実施例３の形態を示し、浮遊体を示す断面図である。
【図１２】本考案に係る水面断熱保温体の実施例３の形態を示す上面図である。
【図１３】本考案に係る水面断熱保温体の実施例４の形態を示す上面図である。
【図１４】本考案に係る水面断熱保温体の実施例４の形態を示し、浮遊体を示す斜視図である。
【図１５】本考案に係る水面断熱保温体の一実施の形態を示し、浮遊体の使用例を示す斜視図である。
【符号の説明】
【００８１】
１０  水面断熱保温体
１１  浮遊体
１２  本体部
１３  膨出部
１４  気泡
１５  本体部側部
２０  回収用具
２１  棒状部材
２２  捕獲網
２３  開口部
２４  軸部
２５  捕獲リング
２６  小径軸部
２８  大径軸部
２９  グリップエンド
３０  溝部
３１  開口部の周縁部
３２  絞り紐
３３  紐挿通口
３４  固定部材
４０  水面断熱保温体
４１  浮遊体
４３  膨出部
５０  水面断熱保温体
５１  浮遊体
５２  本体部
５３  膨出部
５５  本体部側部
６０  水面断熱保温体
６１  浮遊体
６２  本体部
６３  膨出部
６４  周縁部
６５  本体部側部
６６  ＋極磁気テープ
６７  −極磁気テープ
８０  浴槽
８１  噴水
８２  手摺り
８３  浮きフロート
９０  浴槽
Ｌ１、Ｌ７  本体部の厚さ寸法
Ｌ２、Ｌ８  本体部の径方向寸法
Ｌ３、Ｌ５、Ｌ９  膨出部の厚さ寸法
Ｌ４、Ｌ１０  膨出部の径方向寸法
Ｌ６  膨出部の直径寸法
【図１】
0003119700.tif 000003
【図２】
0003119700.tif 000004
【図３】
0003119700.tif 000005
【図４】
0003119700.tif 000006
【図５】
0003119700.tif 000007
【図６】
0003119700.tif 000008
【図７】
0003119700.tif 000009
【図８】
0003119700.tif 000010
【図９】
0003119700.tif 000011
【図１０】
0003119700.tif 000012
【図１１】
0003119700.tif 000013
【図１２】
0003119700.tif 000014
【図１３】
0003119700.tif 000015
【図１４】
0003119700.tif 000016
【図１５】
0003119700.tif 000017
【手続補正書】
【提出日】平成17年12月28日(2005.12.28)
【手続補正１】
【補正対象書類名】実用新案登録請求の範囲
【補正対象項目名】全文
【補正方法】変更
【補正の内容】
【実用新案登録請求の範囲】
【請求項１】
水面に浮遊することにより水面を被覆して、水面から外気への放熱を遮断する複数の浮遊体により構成されていることを特徴とする水面断熱保温体。
【請求項２】
上記浮遊体には、水面の上下方向において膨出する一対の膨出部が形成されていることを特徴とする請求項１記載の水面断熱保温体。
【請求項３】
上記浮遊体は、水面において互いに当接して水面を被覆しうる本体部と、上記本体部の水面の上下方向両側部に設けられた一対の膨出部により構成されていることを特徴とする請求項１記載の水面断熱保温体。
【請求項４】
上記膨出部は、略半球状に形成されていることを特徴とする請求項２または３記載の水面断熱保温体。
【請求項５】
上記本体部は、平面略多角形状に形成されていることを特徴とする請求項３または４記載の水面断熱保温体。
【請求項６】
上記本体部は、平面略六角形状に形成されていることを特徴とする請求項３または４記載の水面断熱保温体。
【請求項７】
上記浮遊体は、独立気泡を有した発泡樹脂製であることを特徴とする請求項１〜６のいずれか一項に記載の水面断熱保温体。
【請求項８】
上記浮遊体は、ポリエチレン製であることを特徴とする請求項１〜６のいずれか一項に記載の水面断熱保温体。
【請求項９】
上記浮遊体は、ポリプロピレン製であることを特徴とする請求項１〜６のいずれか一項に記載の水面断熱保温体。
【請求項１０】
上記本体部には、複数の上記浮遊体が互いに吸着しうるように磁力が付与されていることを特徴とする請求項３〜９のいずれか一項に記載の水面断熱保温体。
【請求項１１】
上記浮遊体の表面には、抗菌加工が施されていることを特徴とする請求項１〜９のいずれか一項に記載の水面断熱保温体。
【請求項１２】
上記水面断熱保温体は、水面全域を被覆しうる数量の上記浮遊体で構成されている請求項１〜１１のいずれか一項に記載の水面断熱保温体。
【請求項１３】
棒状部材と、上記棒状部材に着脱可能な状態で取り付けられ、上記水面断熱保温体を捕獲しうる捕獲網とを有し、
上記捕獲網が、開口部を有した袋状に形成されていることを特徴とする請求項１〜１２のいずれか一項に記載の水面断熱保温体の回収用具。
【請求項１４】
上記棒状部材は、水面に浮遊しうる素材で形成されていることを特徴とする請求項１３記載の水面断熱保温体の回収用具。